(57)【特許請求の範囲】
【請求項１】
基準照明値に対応する第１輝度で、車両のエンジン回転数を表示するエンジン回転数表示手段と、
前記エンジン回転数表示手段の表示および表示輝度を制御する制御手段と、
アイドリングストップ機能搭載車両の、前記アイドリングストップとなったことと前記アイドリングストップから復帰したことを、表示光の輝度変化によって報知する報知領域を備える報知手段と、
を備えた車両用表示装置であって、
前記エンジン回転数表示手段の少なくとも一部の表示領域を、前記報知手段の報知領域と兼用し、
前記アイドリングストップとなったことを、前記エンジン回転数表示手段内の前記報知領域の輝度を、前記第１輝度から前記第１輝度よりも低い第２輝度へ至るように輝度を変化させることにより報知し、
前記アイドリングストップから復帰したことを、前記エンジン回転数表示手段内の前記報知領域の輝度を、前記第２輝度から前記第１輝度に至るように輝度を変化させることにより報知し、
前記エンジン回転数表示手段内の前記報知領域は、各々独立して輝度変更可能な、少なくとも第１報知領域と第２報知領域とによって構成され、
前記第１報知領域は、指標部と、前記指標部を指し示す指示部を含み、
前記第２報知領域は、境界枠部あるいは背景部を含み、
前記アイドリングストップとなったことを報知する表示光の輝度変化の開始を、前記第２報知領域、前記第１報知領域の順にし、
前記アイドリングストップから復帰したことを報知する表示光の輝度変化の開始を、前記第１報知領域、前記第２報知領域の順にする
ことを特徴とする車両用表示装置。
【請求項２】
前記アイドリングストップから復帰したことを報知するにあたって、前記第２報知領域を、前記第２輝度から前記第１輝度よりも高い第３輝度を経由して、前記第１輝度に至るように輝度を変化させる
ことを特徴とする請求項１に記載の車両用表示装置。
【請求項３】
前記アイドリングストップとなったことを報知する前記第１報知領域または前記第２報知領域の輝度変化の開始は、最も外側に位置するものから開始させ、
前記アイドリングストップから復帰したことを報知する前記第１報知領域または前記第２報知領域の輝度変化の開始は、最も内側に位置するものから開始させる
ことを特徴とする請求項１または請求項２に記載の車両用表示装置。
【発明の詳細な説明】
【技術分野】
【０００１】
本発明は、車両のアイドリングストップ、および、車両のアイドリングストップからの復帰を、表示によって報知する車両用表示装置に関するものである。
【背景技術】
【０００２】
アイドリングストップを行う車両に搭載され、アイドリングストップ状態にて照明手段を減光させるとともに、アイドリングストップ状態から復帰する際に、徐々に照明輝度を高めるように制御する車両用表示装置が、特許文献１に開示されている。
【０００３】
また、アイドリングストップ機能によるエンジン停止中であることを示すインジケータが点灯中に、計測値を表示する表示手段の照明を、エンジンの作動時よりも減光するように制御する車両用計器が、特許文献２に開示されている。
【先行技術文献】
【特許文献】
【０００４】
【特許文献１】特開２０１０−２５４１０８
【特許文献２】特開２０１２−２２４１１８
【発明の概要】
【発明が解決しようとする課題】
【０００５】
しかしながら、報知手段の報知と、車両のアイドリングストップおよび車両のアイドリングストップからの復帰との関連性を直観的に報知することにおいて、改善の余地があった。
【０００６】
そこで、本発明は上述した課題を解消し、車両のアイドリングストップおよび車両のアイドリングストップからの復帰と、報知手段の報知とを関連付けて、直観的に報知することを目的とするものである。
【課題を解決するための手段】
【０００７】
基準照明値に対応する第１輝度で、車両のエンジン回転数を表示するエンジン回転数表示手段と、
前記エンジン回転計表示手段の表示および表示輝度を制御する制御手段と、
アイドリングストップ機能搭載車両の、前記アイドリングストップとなったことと前記アイドリングストップから復帰したことを、表示光の輝度変化によって報知する報知領域を備える報知手段と、
を備えた車両用表示装置であって、
前記エンジン回転数表示手段の少なくとも一部の表示領域を、前記報知手段の報知領域と兼用し、
前記アイドリングストップとなったことを、前記エンジン回転数表示手段内の前記報知領域の輝度を、前記第１輝度から前記第１輝度よりも低い第２輝度へ至るように輝度を変化させることにより報知し、
前記アイドリングストップから復帰したことを、前記エンジン回転数表示手段内の前記報知領域の輝度を、前記第２輝度から前記第１輝度に至るように輝度を変化させることにより報知し、
前記エンジン回転数表示手段内の前記報知領域は、各々独立して輝度変更可能な、少なくとも第１報知領域と第２報知領域とによって構成され、
前記第１報知領域は、指標部と、前記指標部を指し示す指示部を含み、
前記第２報知領域は、境界枠部あるいは背景部を含み、
前記アイドリングストップとなったことを報知する表示光の輝度変化の開始を、前記第２報知領域、前記第１報知領域の順にし、
前記アイドリングストップから復帰したことを報知する表示光の輝度変化の開始を、前記第１報知領域、前記第２報知領域の順にする。
【発明の効果】
【０００８】
本発明は、直観的に車両のアイドリングストップおよび車両のアイドリングストップからの復帰を報知することができる車両用表示装置を提供できる。
【図面の簡単な説明】
【０００９】
【図１】本発明の実施形態による車両用表示装置の正面図である。
【図２】同実施形態における車両用表示装置の回路構成図である。
【図３】同実施形態における車両用表示装置のエンジン回転数表示手段における車両のアイドリングストップ、および、車両のアイドリングストップからの復帰の報知を説明した図であり、特に、（ａ）は、エンジン回転数表示手段の各部位を説明する図であり、（ｂ）は、エンジン回転数表示手段の各部位の報知タイミングを説明する図である。
【発明を実施するための形態】
【００１０】
以下に、本発明の実施形態に係る車両用表示装置を添付図面の図１乃至３に基づいて説明する。
【００１１】
本実施形態に係る車両用表示装置１は、図１および図２に示すように、表示手段２と、不揮発性メモリ３と、揮発性メモリ４と、制御手段５と、によって構成する。
【００１２】
表示手段２は、制御手段５の制御のもとで所定の画像を表示するものであり、液晶ディスプレイや有機ＥＬ（Electro-Luminescence）ディスプレイなどの表示装置によって構成され、速度計２１と、エンジン回転計（エンジン回転数表示手段）２２を表示する。
【００１３】
速度計２１は、車両の走行速度に対応する指標部の位置を、指針によって指示する。
【００１４】
エンジン回転計２２は、車両のエンジン回転数に対応する指標部の位置を、指針によって表示する。
【００１５】
不揮発性メモリ３は、例えば、フラッシュメモリであり、制御手段５のプログラム、および、表示手段２に表示する各種画像データを予め記憶する。
【００１６】
揮発性メモリ４は、例えば、ＳＤＲＡＭ（Synchronous Dynamic Random Access Memory）であり、制御手段５の一時記憶媒体として用いられる。
【００１７】
制御手段５は、不揮発性メモリ３に予め記憶されているプログラムを揮発性メモリ４に読み込んで実行するものであって、車内ＬＡＮ６から入力されたイグニッションスイッチＩＧＮの状態（ＯＮ／ＯＦＦ），走行速度，エンジン回転数などの各種車両情報に応じて、適宜、不揮発性メモリ３に予め記憶されている各種画像データを揮発性メモリ４に読み込んで、計器画像として速度計２１とエンジン回転計２２を構成して表示手段２に表示する。
【００１８】
また、制御手段５は、速度計２１、およびエンジン回転計２２の表示輝度の基準となる基準照明値に基づいて、速度計２１と、エンジン回転計２２に表示する画像の輝度を変化させる、または、異なる輝度の画像を切り替えて表示することで表示輝度を変更する。
なお、この基準照明値は、車内ＬＡＮ６を経由して車内ＬＡＮ６に接続されるスイッチなどによって構成される外部入力機器から変更可能で、車両用表示計器の表示輝度の調光可能となっている。
【００１９】
次に、車両用表示装置１のエンジン回転計２２における車両のアイドリングストップ、および、車両のアイドリングストップからの復帰の報知について図３に基づいて説明する。
【００２０】
制御手段５は、車内ＬＡＮ６からアイドリングストップ（エンジン停止）信号Ｉを入力し、信号ＩがＯＮときに、車両がアイドリングストップ（エンジン停止）したことを、信号ＩがＯＦＦのときに、車両がアイドリングストップから復帰したことを検知する。
【００２１】
図３（ａ）に示すように、エンジン回転計２２は、指針部２２ａと、指標部２２ｂと、境界枠部２３ｃと、背景部２２ｄと、から構成され、車両のエンジン回転数に対応する指標部２２ｂの位置を、指針部２２ａによって指示する。
【００２２】
制御手段５は、指針部２２ａと、指標部２２ｂと、境界枠部２３ｃと、背景部２２ｄを、各々独立して表示輝度を調整制御できるように構成される。
【００２３】
制御手段５は、イグニッションスイッチＩＧＮがＯＦＦのとき、速度計２１を消灯表示すると共に、エンジン回転計２２の指針部２２ａと、指標部２２ｂと、境界枠部２３ｃと、背景部２２ｄをそれぞれ消灯表示（Ｌａ０，Ｌｂ０，Ｌｃ０，Ｌｄ０）する。
【００２４】
制御手段５は、イグニッションスイッチＩＧＮがＯＮとなりメータが起動してから信号ＩがＯＮとなるまでの間（図３（ｂ）Ｔ０乃至Ｔ１の間）、速度計２１を基準照明値に対応する輝度で表示すると共に、エンジン回転計２２の指針部２２ａと、指標部２２ｂと、境界枠部２３ｃと、背景部２２ｄを、それぞれ基準照明値に対応する第１輝度Ｌａ１，Ｌｂ１，Ｌｃ１，Ｌｄ１で表示する。
【００２５】
制御手段５は、信号ＩがＯＦＦからＯＮに切り替わって、車両がアイドリングストップとなったことを検知すると（図３（ｂ）Ｔ１）、エンジン回転計２２の指針部２２ａと、指標部２２ｂと、境界枠部２３ｃと、背景部２２ｄの表示輝度を、第１輝度Ｌａ１，Ｌｂ１，Ｌｃ１，Ｌｄ１から、第１輝度よりも輝度の低い第２輝度Ｌａ２，Ｌｂ２，Ｌｃ２，Ｌｄ２に至るように変化させる。
【００２６】
また、制御手段５は、信号ＩがＯＮからＯＦＦに切り替わって、車両がアイドリングストップから復帰したことを検知すると（図３（ｂ）Ｔ２）、エンジン回転計２２の指針部２２ａと、指標部２２ｂと、境界枠部２３ｃと、背景部２２ｄの表示輝度を、第２輝度Ｌａ２，Ｌｂ２，Ｌｃ２，Ｌｄ２から、第１輝度Ｌａ１，Ｌｂ１，Ｌｃ１，Ｌｄ１に至るように変化させる。
【００２７】
なお、制御手段５は、イグニッションスイッチＩＧＮがＯＮである間、速度計２１については、常に基準照明値に対応する輝度で表示する。
【００２８】
エンジン回転計（エンジン回転数表示手段）２２は、エンジンの回転軸の回転速度を表すものであるから、車両がアイドリングストップしエンジン停止することに付随して、エンジン回転数が０となり、エンジン回転計と車両のアイドリングストップには強い親和性がある。
そのため、上述した形態をとることで、運転者に、エンジン回転計の表示輝度を第１輝度から第１輝度よりも低い第２輝度に至るように変化させることにより、車両がアイドリングストップしたことを、エンジン回転計の表示輝度を第２輝度から第１輝度に至るように変化させることにより、車両がアイドリングストップから復帰したことを、それぞれ違和感なく想起させ、他の計器表示（例えば車速計２１）がアイドリングストップの報知手段を兼用する場合や、表示手段全体の表示輝度を変化させること、および、所謂アイドリングストップ警告灯による報知に比べ、直観的な報知とすることができる。
【００２９】
また、制御手段５は、車両がアイドリングストップとなったことを検知すると、まず、エンジン回転数２２の最も外側に位置する境界枠部２２ｃの表示輝度を、第１輝度から第２輝度に至るように輝度変化を開始させ（図３（ｂ）Ｔ１）、その時点から時間ｔ１経過後に、その次に外側に位置する背景部２２ｄの表示輝度を、第１輝度から第２輝度に至るように輝度変化を開始させ（図３（ｂ）Ｔ２）、その時点から時間ｔ２経過後に、その次に外側に位置する指標部２２ｂの表示輝度を、第１輝度から第２輝度に至るように輝度変化を開始させ（図３（ｂ）Ｔ３）、その時点から時間ｔ３経過後に、最も内側に位置する指針部２２ａの表示輝度を、第１輝度から第２輝度に至るように輝度変化を開始させる（図３（ｂ）Ｔ４）。
および、制御手段５は、車両がアイドリングストップから復帰したことを検知すると、車両がアイドリングストップとなったときとは逆順に、まず、エンジン回転数２２の最も内側に位置する指針部２２ａを、第２輝度から第１輝度に至るように輝度変化を開始させ（図３（ｂ）Ｔ５）、その時点から時間ｔ５経過後に、指標部２２ｂの表示輝度を、第２輝度から第１輝度に至るように輝度変化を開始させ（図３（ｂ）Ｔ６）、その時点から時間ｔ６経過後に、その次に背景部２２ｃの表示輝度を、第２輝度から第１輝度に至るように輝度変化を開始させ（図３（ｂ）Ｔ７）、その時点から時間ｔ７経過後に、境界枠部２２ｃの表示輝度を、第２輝度から第１輝度に至るように輝度変化を開始させる（図３（ｂ）Ｔ８）。
【００３０】
上述のように、制御手段５は、車両がアイドリングストップしたことを検知したとき、および、車両がアイドリングストップから復帰したことを検知したときの、エンジン回転計２２の指針部２２ａと、指標部２２ｂと、境界枠部２３ｃと、背景部２２ｄの表示輝度変化の開始時間に、時間差を持たせるようにすることで、車両がアイドリングストップしたこと、および、車両がアイドリングストップから復帰したことを、より見栄えよく報知することが出来る。
【００３１】
また、その順番は、車両がアイドリングストップしたことを検知したときは、指針２２ａと指標部２２ｂの表示輝度変化の開始を後段の時間とし、車両がアイドリングストップから復帰したことを検知したときは、それとは逆順に、指針２２ａと指標部２２ｂの表示輝度変化の開始を前段の時間とすることで、車両のアイドリングストップに伴う、エンジン回転計２２の指針部２２ａと、指標部２２ｂと、境界枠部２３ｃと、背景部２２ｄの表示輝度変化によるエンジン回転計２２の視認性低下の虞を低減することができる。
【００３２】
また、制御手段５は、車両がアイドリングストップから復帰したことを検知し、エンジン回転数２２の境界枠部２２ｃの表示輝度を、第２輝度Ｌｃ２から第１輝度Ｌｃ１に至るように輝度変化させる際に、第１輝度Ｌｃ１よりも輝度の高い第３輝度Ｌｃ３を経由して第１輝度Ｌｃ１になるように変化させる。
【００３３】
このように構成することで、車両がアイドリングストップから復帰したことを、より鮮明に印象付けて報知することができる。
【００３４】
また、制御手段５は、エンジン回転計２２の指針部２２ａと、指標部２２ｂと、境界枠部２３ｃと、背景部２２ｄの表示輝度の輝度変化の時間差ｔ１乃至ｔ７について、ｔ５乃至ｔ７の平均値は、ｔ１乃至ｔ３の平均値よりも短く設定する。
【００３５】
このように構成することで、車両がアイドリングストップとなったことを報知する輝度変化は、車両がアイドリングストップから復帰したことを報知する輝度変化に比べ緩慢となり、車両がアイドリングストップを想起させやすくなり、翻って、車両がアイドリングストップから復帰したことを報知する輝度変化は、車両がアイドリングストップとなったことを報知する輝度変化と対比して、車両がアイドリングストップから復帰し、エンジンが始動したことを想起させやすくなり、それゆえに、車両のアイドリングストップと、アイドリングストップからの復帰を、エンジン回転計２２の表示輝度変化の演出がより直観的となる。
【００３６】
以上、実施形態について説明したが、本願のエンジン回転数表示手段２２は、表示手段２に画像表示する構成に限定するものではない。例えば、指針部と、指標部と、境界枠部と、背景部を、それぞれ樹脂等で構成して、各々をＬＥＤなどの光源によって照明する構成としても良い。
また、本願のエンジン回転数表示手段２２は、指標部を指針部によって指示するアナログ計器に限らず、エンジン回転数をバーグラフの長短変化や、数字などで表現したもので提示しても良い。
【符号の説明】
【００３７】
１      車両用表示装置
２      表示手段
２１    速度計
２２    エンジン回転計（エンジン回転数表示手段）
２２ａ  指針部
２２ｂ  指標部
２２ｃ  境界枠部
２２ｄ  背景部
３      不揮発性メモリ
４      揮発性メモリ
５      制御手段
６      車内ＬＡＮ
Ｌａ０  指針部の第０輝度（消灯）
Ｌａ１  指針部の第１輝度
Ｌａ２  指針部の第２輝度
Ｌｂ０  指標部の第０輝度（消灯）
Ｌｂ１  指標部の第１輝度
Ｌｂ２  指標部の第２輝度
Ｌｃ０  境界枠部の第０輝度（消灯）
Ｌｃ１  境界枠部の第１輝度
Ｌｃ２  境界枠部の第２輝度
Ｌｃ３  境界枠部の第３輝度
Ｌｄ０  背景部の第０輝度（消灯）
Ｌｄ１  背景部の第１輝度
Ｌｄ２  背景部の第２輝度
Ｉ      アイドリングストップ（エンジン停止）信号
【図１】
0006436366.tif 000002
【図２】
0006436366.tif 000003
【図３】
0006436366.tif 000004